(57)【特許請求の範囲】
【請求項１】
位置的に固定の及び可動の接続点の間で、ケーブル、導線、ホース等を案内する導線案内装置であって、
前記導線案内装置は、少なくとも１つの本質的に帯状の支持ユニット（１）を有し、前記支持ユニット（１）と一体に形成された保持要素（２、１７）を有し、
前記保持要素（２、１７）は、前記支持ユニット（１）から打抜き加工および曲げ加工により形成され、実質的にそこから前記支持ユニット（１）の長手方向に対して直角に突出し、
前記少なくとも１つの保持要素（２）は、少なくとも１つの開口（６）を有し、前記開口を通じて前記ケーブル、導線、ホース等が案内される
導線案内装置。
【請求項２】
前記少なくとも１つの保持要素（２、１７）は、実質的にフレームの形に形成されることを特徴とする、請求項１に記載の導線案内装置。
【請求項３】
前記少なくとも１つの保持要素（２）は、少なくとも２つの保持部セクター（１３、１４）を有することを特徴とする、請求項１又は２に記載の導線案内装置。
【請求項４】
少なくとも１つの凹部（８）は、前記支持ユニット（１）の中に少なくとも２つの隣接する保持要素（２、１７）の間に形成されることを特徴とする、請求項１乃至３のうちいずれか一項に記載の導線案内装置。
【請求項５】
前記支持ユニットは、上面と下面を有し、少なくとも１つの保持要素は前記上面から突出し、少なくとも１つの保持要素は前記下面から突出することを特徴とする、請求項１乃至４のうちいずれか一項に記載の導線案内装置。
【発明の詳細な説明】
【技術分野】
【０００１】
本発明の対象は、位置的に固定の及び可動の接続の間で、ケーブル、ホース、導線等を案内する導線案内装置に関する。
【背景技術】
【０００２】
位置的に固定の及び可動の接続点の間で、ケーブル、ホース、導線等を案内する種々の実施例の導線案内装置が知られている。本願は、例えば、連結部によって互いに結合された個々の部材により形成される導線案内装置に関する。かかる導線案内装置は、エネルギー・ガイド・チェーンとも称され、又は単にエネルギー・チェーンと略される。個々の部材は、互いに離間して配置されたブラケットによって形成される。部材が導線、ホース、ケーブル等がその中に置かれうるチャネルを形成するよう、ブラケットは横方向ブリッジによって互いに結合される。横方向ブリッジの幅は、非常に異なりうる。半分のブリッジを有するよう設計されたエネルギー・チェーンもまた知られている。これらのエネルギー・チェーンでは、全ての部材が横方向ブリッジを有するわけではない。
【０００３】
特許文献１は、略矩形断面のトラックが押出し成形され、次に加工され、特にその中にスリットが作られることにより形成される導線案内装置について記載する。スリット形成により、トラックは、互いに連結部で結合された個々のセグメントへと分割される。同等のシステムは、特許文献２により知られている。
【０００４】
特許文献３は、平坦な構造を押出し成形し、次に個々の部品を打抜き加工し、側方ブリッジを導線、ケーブル、又はホース等のための案内システムへと折り曲げることにより導線案内装置を形成することを提供している。
【０００５】
プラスチック製の折り曲げ可能な保護要素は、特許文献４から知られている。この保護要素は、実質的に平坦な形状へと射出成形又は成型され、曲げることが可能なブリッジによって互いに連結されたセグメントから形成される。ここで、保護要素は、上面及び下面、並びに、下部セグメントの上面方向に曲げること及び／又は折ることによって形成されうる少なくとも１つの壁セグメントを有する下部セグメントと、閉じたチャネル部を形成するための閉鎖機構の機械的な閉鎖とである。しかしながら、保護要素は、チャネル部が導線用に長手方向のチャネルを形成するよう、他の同様の保護要素に結合されるか、又は他の同様の保護要素に結合されうるよう形成される。
【０００６】
導線案内装置は、プラスチック及び／又は金属からなりうる。
【先行技術文献】
【特許文献】
【０００７】
【特許文献１】旧東独特許出願公開第２６５４４９号明細書
【特許文献２】欧州特許出願公開第０５４４０２７号明細書
【特許文献３】米国特許出願公開第３４７３７６９号明細書
【特許文献４】国際公開第９８／４０６４５号
【発明の概要】
【発明が解決しようとする課題】
【０００８】
これに基づき、本発明は、費用効果的に製造されうる導線案内装置を提供することを目的とする。
【課題を解決するための手段】
【０００９】
本発明によれば、上記目的は、請求項１の特徴を有する導線案内装置によって達成される。本発明による導線案内装置の有利な更なる発展及び実施例は、従属項の対象である。
【００１０】
位置的に固定の及び可動の接続点の間で、ケーブル、導線、ホース等を案内する本発明による導線案内装置は、導線案内装置が、略帯状に形成された少なくとも１つの支持ユニットを有することを特徴とする。保持要素は、支持ユニットと一体に形成され、これらの要素は、その中にケーブル、導線、ホース等が置かれうる仮想のチャネルを少なくとも部分的に画成する。保持要素は、成形により支持ユニットから形成され、実質的に支持ユニットに対して垂直である。
【００１１】
本発明による導線案内装置の実施例は、導線案内装置を費用効果的に製造する可能性を与える。かかる導線案内装置は、導線案内装置に対する機械的応力が比較的低い用途において特に有利である。本発明による導線案内装置の望ましい用途は、自動車製造、電気産業、及び家具産業である。本発明による導線案内装置は、ケーブル、導線、ホース等を案自動車のシート、スライドドア、及び／又はスライドルーフに案内するのに特に適している。特に、予め製造されたユニットであって、既に配置されたケーブル、導線、又はホースを有する導線案内装置を既に有するものは、例えば自動車のシートの取付けにおいて、取付の費用が簡略となるという利点がある。更に、支持ユニットの、順序づけられ、決められた動きが達成されうる。
【００１２】
保持要素は、支持ユニットから切出し、又は打抜き加工される。支持ユニットは、異なった材料から、特にプラスチック、繊維強化プラスチック、又は例えばセルロース等の再生可能な原材料から製造されうる。例えば、支持ユニットは、望ましくはコーティングされたパルプからなりうる。コーティングにより、湿気が支持ユニットに対して重大な影響を及ぼさないよう、パルプに疎水性の層が塗布される。更に、支持ユニットのリサイクルが簡単化される。保持要素の製造は、連続的又は不連続的なプロセスにおいて実行される。このために、適切な切抜き工具及び打抜き工具が与えられうる。
【００１３】
特に望ましいのは、少なくとも１つの保持要素が略フレーム状の形状に形成された本発明による導線案内装置の実施例である。これにより、保持要素は、略矩形の又は多角形の断面を有しうる。しかしながら、保持要素は、円形又は楕円形の断面を有する可能性もある。
【００１４】
少なくとも１つの保持要素へのケーブル、導線、又はホースの導入を容易とするため、保持要素は、少なくとも１つの開口を有することが提案される。開口は、導線案内装置の動作中に保持要素に対してケーブル、導線、又はホースが比較的小さい力を及ぼす領域に形成されることが望ましい。
【００１５】
本発明による導線案内装置の更なる有利な実施例によれば、少なくとも１つの保持要素は、２つの保持部セクターを有することが提案される。保持部セクターは、異なる群のケーブル、導線、ホースを保持することができるため、保持部セクターへのケーブル、導線、又はホースのはっきりとした割り当てが可能となる。これにより、ケーブル、導線、又はホースの交換が容易となる。また、ケーブル、導線の群を個々の保持部にはっきりと割り当てることが可能となるため、導線案内装置の取付けが容易となる。
【００１６】
本発明による導線案内装置の更なる有利な実施例によれば、少なくとも２つの隣接する保持要素の間で、支持ストラップに少なくとも１つの凹部が形成されることが提案される。これにより、導線案内装置が３次元トラック上でも案内又は移動されうるよう、支持ストラップがねじれを受ける能力が有利に変えられる。
【００１７】
本発明による導線案内装置の更なる有利な実施例によれば、支持ユニットは、上面と下面を有し、少なくとも１つの保持要素は上面から突出し、少なくとも１つの保持要素は下面から突出することが提案される。この結果、ケーブル、導線、又はホースを支持ユニットの両側に置くことが可能となり、その結果、本発明による導線案内装置の用途が広げられる。
【００１８】
支持ストラップ及び／又は保持要素は、押出し成形されてもよい。しかしながら、支持ストラップ及び／又は保持要素を射出成形する可能性もある。本発明による支持ストラップはまた、それを通じてこれが固定の接続又は可動の接続にされうる、適切な接続手段を有しうる。
【図面の簡単な説明】
【００１９】
本発明による導線案内装置の他の利点及び詳細について、本発明の対象が具体的な実施例に制限されることなしに、図示する実施例を参照して説明する。
【図１】導線案内装置の第１の実施例を示す斜視図である。
【図２】図１の導線案内装置の端領域を示す斜視図である。
【図３】導線案内装置の第２の実施例を示す斜視図である。
【図４】図３の導線案内装置の端領域を示す拡大図である。
【図５】導線案内装置の第３の実施例を示す斜視図である。
【図６】図５による導線案内装置の端領域を示す図である。
【図７】導線案内装置の第４の実施例の端領域を示す斜視図である。
【図８】導線案内装置の第４の実施例を示す斜視図である。
【図９】導線案内装置の第５の実施例を示す斜視図である。
【図１０】図９の導線案内装置を示す展開図である。
【図１１】図９の導線案内装置の変形を示す展開図である。
【図１２】導線案内装置の更なる実施例を示す図である。
【図１３】導線案内装置の更なる実施例を示す図である。
【発明を実施するための形態】
【００２０】
図１及び図２は、位置的に固定の及び可動の接続点の間でケーブル、導線、ホース等を案内する導線案内装置の第１の実施例を示す図である。導線案内装置は、略帯状に形成された支持ユニット１を有する。一体の保持要素２は、支持ユニット１と共に形成される。保持要素２は、支持ユニット１から形成され、支持ユニット１の長手方向に対して略直角にそこから突出して配置される。図示の実施例では、保持要素２は略３次元的に形成されている。各々が、支持ユニット１の平面に対して略垂直に形成された２つの部分４を有する。図示の実施例では、部分４は、互いに離間して終わる狭まる部分５に結合される。この結果、いずれの場合にも開口６が形成される。部分４は、保持要素２のより高い強度が達成されるよう、ブリッジ７によって互いに結合される。
【００２１】
望ましくは、保持要素２は、支持ユニット１の帯状材料からの打抜き加工によって、及び、適当な曲げ加工によって製造される。
【００２２】
図１を参照するに、２つの隣接する保持要素２の間に凹部８が設けられることがわかる。これらの凹部８は、導線案内装置がそれに対してねじれを与えられる能力を高める。
【００２３】
部分４、５及びブリッジ７は、それぞれ保持部９を画成し、それにより保持要素２の保持部９は、導線、ホース、ケーブル等が中に配置されうるチャネルを形成する。
【００２４】
支持ユニットを、固定の又は可動の接続に固定するため、支持ユニットは対応する端に固定用の適切な手段を有する。図示の実施例では、端領域は、図２に示すように、位置的に固定の接続または可動の接続における対応する手段に取り付けられうる貫通孔１０を有する。図３及び図４は、位置的に固定の及び可動の接続点の間で本発明によりケーブル、導線、ホース等を案内する導線案内装置の第２の実施例を示す。導線案内装置は、本質的に帯状に形成された支持ユニット１からなる。保持要素は、支持ユニット１と一体に形成される。図示の実施例では、保持要素は、開口６が与えられるよう、支持ユニット１の上面１１から離間して終わる２つの部分４を有する。ブリッジ１２は、中央に設けられ、保持要素２の部分５に接続される。ブリッジ１２は、支持ユニット１にも接続される。ブリッジ１２は、特に図４からわかるように、保持要素２の保持空間を２つの隣接する保持部セクター１３、１４へと分割する。
【００２５】
幾つかの保持要素２は、互いに離間して設けられる。凹部８は、保持要素２の間に形成され、その結果、支持ユニットの可撓性が向上する。
【００２６】
図５及び図６は、本発明による導線案内装置の第３の実施例を示す図である。導線案内装置は、帯状に形成された支持ユニット１を有する。凹部８は、支持ユニット１内に設けられる。ケーブル、導線、ホース等を案内するために、導線案内装置は、支持ユニット１と一体に形成された保持要素２を有する。保持要素２は、例えば打抜き加工及び曲げ加工により、支持ユニット１の帯状材料から製造される。図５及び図６に示す実施例では、保持要素２は、略フレーム状に形成される。本発明による導線案内装置の更なる実施例は、図７及び図８に示されている。図７及び図８に示す導線案内装置の基本構造は、図５及び図６に示す導線案内装置の構造に対応する。２つの実施例の差異は、図７及び図８による実施例では、保持要素は、図示の実施例では略円形の断面を有する２つの保持部セクター１３、１４を有しているため個々の導線が案内されうることにある。また、個々の束が保持部セクター１３、１４の中を案内されるという可能性もある。保持部セクター１３、１４の断面は、異なってもよい。図９は、導線案内装置の更なる実施例を示す図である。導線案内装置は、２つの重なり合う条片１５、１６から形成される支持ユニット１を有する。保持要素１７は、支持ユニットから形成され、これらはそこの長手方向に対して略直角に支持ユニット１へ突出する。トラック１５、１６は、ブラケット１８で一緒に接続される。
【００２７】
図１０は、図９に示す導線案内装置用のブランクを示す。トラック１５、１６は、保持要素１７によって接続される。窓状の開口１９は、保持要素１７の間に形成される。ブラケット１８を形成する打抜き加工がトラック１５及びトラック１６に行われる。ブラケットは、トラック１５、１６が互いに重なり合うとき、縁２０の周りで上向きに曲げられる。
【００２８】
図１１は、ブラケットが設けられていないブランクを示す図である。
【００２９】
図１２は、導線案内装置の更なる実施例を示す斜視図である。導線案内装置は、実質的に帯状に形成された支持ユニット１を有する。保持要素２２、２５は、支持ユニット１からみえる。図１２の図から、保持要素２２、２５が高く立ち上げられた位置を維持しうるための手段が設けられていることがわかる。手段２１は、部分に分けて設けられうる。
【００３０】
図１３は、図１２による実施例の変形例を示す図である。図１３による保持要素は、略エルボー型に形成される。これらは開口を有する。
【符号の説明】
【００３１】
１  支持ユニット
２  保持要素
３  開口
４  部分
５  部分
６  開口
７  ブリッジ
８  凹部
９  開口
１０  貫通孔
１１  上面
１２  ブリッジ
１３  保持部セクター
１４  保持部セクター
１５  トラック
１６  トラック
１７  保持要素
１８  ブラケット
１９  開口
２０  縁
２１  中央
２２  保持要素
２５  保持要素
【図１】
0005390523.tif 000002
【図２】
0005390523.tif 000003
【図３】
0005390523.tif 000004
【図４】
0005390523.tif 000005
【図５】
0005390523.tif 000006
【図６】
0005390523.tif 000007
【図７】
0005390523.tif 000008
【図８】
0005390523.tif 000009
【図９】
0005390523.tif 000010
【図１０】
0005390523.tif 000011
【図１１】
0005390523.tif 000012
【図１２】
0005390523.tif 000013
【図１３】
0005390523.tif 000014